(57)【要約】      （修正有）【課題】不使用時においては、使用に支障なく、コンパクトに折り畳むことができ、しかも、分解したりする必要がなく、簡単かつ迅速に折畳及び展開を行うことができ、使用の融通性を高めることができるコンテナを提供する。【解決手段】底面板１及び四個の側面板２・３・４・５からなる合成樹脂製の四角箱状のコンテナであって、四個の側面板のうち、対向一対の側面板３・５は上側面板３ａ・５ａ及び下側面板３ｂ・５ｂの二部材を中連結部Ｋにより連結してなると共に上側面板と下側面板とは中連結部により面一状から内方に向けて中折れ状に折畳自在に連結され、下側面板の下辺縁部は底面板の対向一対の辺縁部に底連結部Ｌにより起立状から水平状に折畳自在に連結されてなる。【選択図】図１
0003155667.tif 000002
【実用新案登録請求の範囲】
【請求項１】
底面板及び四個の側面板からなる合成樹脂製の四角箱状のコンテナであって、上記四個の側面板のうち、対向一対の側面板は上側面板及び下側面板の二部材を中連結部により連結してなると共に該上側面板と下側面板とは該中連結部により面一状から内方に向けて中折れ状に折畳自在に連結され、該下側面板の下辺縁部は上記底面板の対向一対の辺縁部に底連結部により起立状から水平状に折畳自在に連結され、合成樹脂製にして上記四個の側面板の上辺縁部に応じた四角枠状の開口枠体を形成し、該対向一対の側面板の上側面板の上辺縁部は該開口枠体の対向一対の辺縁部に上連結部により垂下状から跳ね上げ状に折畳自在に連結され、上記四個の側面板のうち、他の対向一対の側面板は該開口枠体の対向一対の他の辺縁部に直交連結部により垂下状から跳ね上げ状に折畳自在に連結されてなることを特徴とするコンテナ。
【請求項２】
上記四個の側面板のうち、少なくとも一個の側面板に複数個の通穴が形成されていることを特徴とする請求項１記載のコンテナ。
【考案の詳細な説明】
【技術分野】
【０００１】
本考案は、家庭用品、事務用品等の各種物品を整理収納したり、運搬したりする際に用いられるコンテナに関するものである。
【背景技術】
【０００２】
従来、この種のコンテナとして、相互に分解及び組立自在な底面板及び四個の側面板からなるものが知られている。
【先行技術文献】
【特許文献】
【０００３】
【特許文献１】実開平１−１０３５２５号公報
【考案の概要】
【考案が解決しようとする課題】
【０００４】
しかしながらこの従来構造の場合、使用時において、底面板及び四個の側面板を組み立て、不使用時において、底面板及び四個の側面板を分解して使用することになり、組立及び分解が必要となり、使用の融通性が低下していることがあるという不都合を有している。
【課題を解決するための手段】
【０００５】
本考案はこれらの不都合を解決することを目的とするもので、本考案のうちで、請求項１記載の考案は、底面板及び四個の側面板からなる合成樹脂製の四角箱状のコンテナであって、上記四個の側面板のうち、対向一対の側面板は上側面板及び下側面板の二部材を中連結部により連結してなると共に該上側面板と下側面板とは該中連結部により面一状から内方に向けて中折れ状に折畳自在に連結され、該下側面板の下辺縁部は上記底面板の対向一対の辺縁部に底連結部により起立状から水平状に折畳自在に連結され、合成樹脂製にして上記四個の側面板の上辺縁部に応じた四角枠状の開口枠体を形成し、該対向一対の側面板の上側面板の上辺縁部は該開口枠体の対向一対の辺縁部に上連結部により垂下状から跳ね上げ状に折畳自在に連結され、上記四個の側面板のうち、他の対向一対の側面板は該開口枠体の対向一対の他の辺縁部に直交連結部により垂下状から跳ね上げ状に折畳自在に連結されてなることを特徴とするコンテナにある。
【０００６】
又、請求項２記載の考案にあっては、上記四個の側面板のうち、少なくとも一個の側面板に複数個の通穴が形成されていることを特徴とするものである。
【考案の効果】
【０００７】
本考案は上述の如く、請求項１記載の考案にあっては、対向一対の側面板を直交連結部により垂下状から跳ね上げ状に折畳み、側面板の上側面板及び下側面板の二部材を中連結部により面一状から内方に向けて中折れ状に折畳みながら下側面板を起立状から水平状に折畳むと共に上側面板を上連結部により垂下状から跳ね上げ状に折畳むことにより、平板状に折り畳むことができ、又、この折畳状態において、開口枠体持ち上げて対向一対の側面板の上側面板及び下側面板の二部材を中連結部により中折れ状から面一状に外方に向けて展開しながら下側面板を底連結部により水平状から起立状に展開すると共に上側面板を上連結部により跳ね上げ状から垂下状に展開し、次いで、対向一対の側面板を直交連結部により跳ね上げ状から垂下状に展開することにより展開状態に復元することができ、従って、コンテナとして使用する時は、四個の側面板を展開して展開状態として四角箱状のコンテナを得ることができ、不使用時においては、四個の側面板を折畳状態として平板状のコンテナを得ることができ、コンテナとしての使用をすることができると共に不使用時においては、使用に支障なく、コンパクトに折り畳むことができ、しかも、組み立てたり、分解したりする必要がなくなり、簡単かつ迅速に折畳及び展開を行うことができ、使用の融通性を高めることができる。
【０００８】
又、請求項２記載の考案にあっては、上記四個の側面板のうち、少なくとも一個の側面板に複数個の通穴が形成されているから、コンテナの内と外との通気性を確保することができる。
【図面の簡単な説明】
【０００９】
【図１】本考案の実施の形態例の全体斜視図である。
【図２】本考案の実施の形態例の全体分解斜視図である。
【図３】本考案の実施の形態例の部分縦断面図である。
【図４】本考案の実施の形態例の他の部分縦断面図である。
【図５】本考案の実施の形態例の部分縦断面図である。
【図６】本考案の実施の形態例の部分縦断面図である。
【図７】本考案の実施の形態例の折り畳み状態の全体斜視図である。
【考案を実施するための形態】
【００１０】
図１乃至図７は本考案の実施の形態例を示し、大別して、底面板１、四個の側面板２・３・４・５及び開口枠体６からなり、これらはいずれも、合成樹脂により製作され、上記四個の側面板２・３・４・５のうち、対向一対の側面板３・５は上側面板３ａ・５ａ及び下側面板３ｂ・５ｂの二部材をヒンジ構造の中連結部Ｋ・Ｋにより連結してなると共に上側面板３ａ・５ａと下側面板とは３ｂ・５ｂ中連結部Ｋ・Ｋにより面一状から内方に向けて中折れ状に折畳自在に連結されている。
【００１１】
又、上記下側面板３ｂ・５ｂの下辺縁部は上記底面板１の対向一対の辺縁部にヒンジ構造の底連結部Ｌ・Ｌにより起立状から水平状に折畳自在に連結され、上記開口枠体６は四個の側面板２・３・４・５の上辺縁部に応じた四角枠状に形成され、そして、対向一対の側面板３・５の上側面板３ａ・５ａの上辺縁部は開口枠体６の対向一対の辺縁部にヒンジ構造の上連結部Ｍ・Ｍにより垂下状から跳ね上げ状に折畳自在に連結されている。
【００１２】
又、上記四個の側面板２・３・４・５のうち、他の対向一対の側面板２・４は開口枠体６の対向一対の他の辺縁部にヒンジ構造の直交連結部Ｎ・Ｎにより垂下状から跳ね上げ状に折畳自在に連結されている。
【００１３】
又、この場合、上記四個の側面板２・３・４・５のすべてに複数個の通穴Ｐが形成されている。尚、上記四個の側面板２・３・４・５の全てではなく、いずれかの側面板にのみ通穴Ｐを形成することもある。
【００１４】
この実施の形態例は上記構成であるから、図１の展開状態において、対向一対の側面板２・４を、図４の想像線の如く、直交連結部Ｎ・Ｎにより実線で示す垂下状から跳ね上げ状に折畳み、次いで、側面板３・５の上側面板３ａ・５ａ及び下側面板３ｂ・５ｂの二部材を中連結部Ｋ・Ｋにより面一状から内方に向けて中折れ状に折畳みながら下側面板３ｂ・５ｂを起立状から水平状に折畳むと共に上側面板３ａ・５ａを上連結部Ｍ・Ｍにより垂下状から跳ね上げ状に折畳むことにより、図６、図７の如く、平板状に折り畳むことができ、又、この折畳状態において、開口枠体６を持ち上げて対向一対の側面板３・５の上側面板３ａ・５ａ及び下側面板３ｂ・５ｂの二部材を中連結部Ｋ・Ｋにより中折れ状から面一状に外方に向けて展開しながら下側面板３ｂ・５ｂを底連結部Ｌ・Ｌにより水平状から起立状に展開すると共に上側面板３ａ・５ａを上連結部Ｍ・Ｍにより跳ね上げ状から垂下状に展開し、次いで、対向一対の側面板２・４を、図４の如く、直交連結部Ｎ・Ｎにより跳ね上げ状から垂下状に展開することにより、図１の展開状態に復元することができ、従って、コンテナとして使用する時は、四個の側面板２・３・４・５を展開して展開状態として四角箱状のコンテナを得ることができ、不使用時においては、四個の側面板２・３・４・５を折畳状態として平板状のコンテナを得ることができ、コンテナとしての使用をすることができると共に不使用時においては、使用に支障なく、コンパクトに折り畳むことができ、しかも、組み立てたり、分解したりする必要がなくなり、簡単かつ迅速に折畳及び展開を行うことができ、使用の融通性を高めることができる。
【００１５】
又、この場合、上記四個の側面板２・３・４・５のうち、少なくとも一個の側面板、この場合、全ての側面板２・３・４・５に複数個の通穴Ｐが形成されているから、コンテナの内と外との通気性を確保することができる。
【００１６】
尚、本考案は上記の形態例に限られるものではなく、上記底面板１、四個の側面板２・３・４・５及び開口枠体６の大きさや形態、各連結部Ｋ・Ｋ・Ｌ・Ｌ・Ｍ・Ｍ・Ｎ・Ｎのヒンジ構造等は適宜変更して設計されるものである。
【００１７】
以上の如く、所期の目的を充分達成することができる。
【符号の説明】
【００１８】
Ｋ    中連結部
Ｌ    底連結部
Ｍ    上連結部
Ｎ    直交連結部
Ｐ    通穴
１    底面板
２    側面板
３    側面板
３ａ    上側面板
３ｂ    下側面板
４    側面板
５    側面板
５ａ    上側面板
５ｂ    下側面板
６    開口枠体
【図１】
0003155667.tif 000003
【図２】
0003155667.tif 000004
【図３】
0003155667.tif 000005
【図４】
0003155667.tif 000006
【図５】
0003155667.tif 000007
【図６】
0003155667.tif 000008
【図７】
0003155667.tif 000009